(57)【要約】【課題】不使用時にはコンパクトに折り畳むことができ、使用時には専用の台座等がなくとも自立可能で、デザイン性に富んだ装飾などを施すことが可能な自立型扇状装飾部材を提供する。【解決手段】複数の開閉部材１２と、複数の開閉部材１２を前後で挟む一対の開閉端部材１４，１６とが、それらの基端部１２ｃ，１４ｃ，１６ｃを貫通する支軸１８を介して軸支されている。互いに隣接する開閉部材１２同士の開きを、所定の角度に制限する位置決め部材２６を有する。複数の開閉部材１２の支軸１８に軸支された各基端部１２ｃは、一対の開閉端部材１４，１６の長手方向及び支軸１８の両方に対して直角な方向の幅の１／２の半径の半円内に位置する。開閉部材１２全体が互いに開かれた状態で、開閉部材１２が開閉端部材１４，１６を下にして自立する。【選択図】図１
2010077604.tif 000002
【特許請求の範囲】
【請求項１】
複数の開閉部材と、前記複数の開閉部材を前後で挟む一対の開閉端部材とが、前記開閉部材と前記開閉端部材の各基端部を貫通する支軸を介して軸支され、互いに隣接する前記開閉部材同士の開きを所定の角度に制限する位置決め部材を有した自立型扇状装飾部材において、
前記複数の開閉部材の前記支軸に軸支された前記各基端部は、前記一対の開閉端部材の長手方向及び前記支軸の軸方向の両方向に対して直角な方向の幅の１／２の半径の半円内に位置するように形成され、前記開閉部材全体が互いに開かれた状態で、前記開閉部材が前記開閉端部材を下にして自立することを特徴とする自立型扇状装飾部材。
【請求項２】
前記一対の開閉端部材及び前記複数の開閉部材の長手方向に対して直角であって前記支軸中心を通る仮想面から基端側に位置する前記基端部の、前記支軸に対して直角な面への投影形状が、前記仮想面上で前記支軸から前記長手方向と平行な基端部側縁までの垂線の長さを半径とする半円内に形成されていることを特徴とする請求項１記載の自立型扇状装飾部材。
【請求項３】
前記支軸は、前記開閉部材および前記開閉端部材の各基端部の幅方向の中心位置に設けられ、前記開閉部材および前記開閉端部材の前記基端部は、前記支軸を中心として、前記開閉部材および前記開閉端部材の幅の１／２の半径の半円状にアール加工されていることを特徴とする請求項１記載の自立型扇状装飾部材。
【請求項４】
前記開閉端部材は、開かれた状態で前記開閉端部材の側面が面一に位置し、前記開閉部材が半円状に形成されることを特徴とする請求項１，２または３記載の自立型扇状装飾部材。
【発明の詳細な説明】
【技術分野】
【０００１】
この発明は、室内外の仕切りや装飾等として用いられる折り畳み式の自立型扇状装飾部材に関する。
【背景技術】
【０００２】
従来、室内に立てて部屋を仕切ったり目隠しするときに用いられる衝立には、衝立を使用しないときに目隠しの部分を折り畳むことができる扇形のものがある。例えば、特許文献１に開示されている衝立は、台板上に二本のポールの下端部が左右方向に回動可能に立設され、その二本のポールの間にプリーツ（折りひだ）が架設された構造を備え、使用時には二本のポールの上端部を左右に傾倒させてプリーツを広げて目隠し用の膜を作り、不使用時には二本のポールを起立させてプリーツを折り畳むことができる衝立である。
【特許文献１】特開２００４−３３２２０８号公報
【発明の開示】
【発明が解決しようとする課題】
【０００３】
しかし、特許文献１の衝立は、安定に立てておくための台板と、その台板とポールやプリーツの特殊な連結構造等を必要とし、複雑な構造で、コストのかかるものとなっている。さらに、二本のポールやプリーツの重量がポール受金具等の支持部材に集中する構造であるため、材料コストが掛かり、構造上耐久性にも問題があった。すなわち、ポールやプリーツの重量が増すと、振動や衝撃で破損し易くなるため、例えば、目隠し用の膜の面積をあまり広くすることができなかった。また、ポールやプリーツは比較的軽量の素材を選択しなければならないため、デザイン性や装飾性を高めるための工夫が制限され、例えば、比較的重量のある木製・金属製の装飾用パーツ等を多用することができなかった。
【０００４】
また、一般に扇子は、扇の要から基端側の部分が開いた状態でも円弧状に突出し、展示用の台座を用いない限り、開いた状態で立たせることが出来ないものであった。
【０００５】
この発明は、上記背景技術に鑑みてなされたものであり、不使用時にはコンパクトに折り畳むことができ、使用時には専用の台座等がなくとも自立可能で、デザイン性に富んだ装飾などを施すことが可能な自立型扇状装飾部材を提供することを目的とする。
【課題を解決するための手段】
【０００６】
この発明は、複数の開閉部材と、前記複数の開閉部材を前後で挟む一対の開閉端部材とが、前記開閉部材と前記開閉端部材の各基端部を貫通する支軸を介して軸支され、互いに隣接する前記開閉部材同士の開きを所定の角度に制限する位置決め部材を有した自立型扇状装飾部材において、前記複数の開閉部材の前記支軸に軸支された前記各基端部は、前記一対の開閉端部材の長手方向及び前記支軸の軸方向の両方向に対して直角な方向の幅の１／２の半径の半円内に位置するように形成され、前記開閉部材全体が互いに開かれた状態で、前記開閉部材が前記開閉端部材を下にして自立する自立型扇状装飾部材である。
【０００７】
さらに、前記一対の開閉端部材及び前記複数の開閉部材の長手方向に対して直角であって前記支軸中心を通る仮想面から基端側に位置する前記基端部の、前記支軸に対して直角な面への投影形状が、前記仮想面上で前記支軸から前記長手方向と平行な基端部側縁までの垂線の長さを半径とする半円内に形成されているものである。
【０００８】
前記支軸は、前記開閉部材および前記開閉端部材の各基端部の幅方向の中心位置に設けられ、前記開閉部材および前記開閉端部材の前記基端部は、前記支軸を中心として、前記開閉部材および前記開閉端部材の幅の１／２の半径の半円状にアール加工されている。
【０００９】
前記開閉端部材は、開かれた状態で前記開閉端部材の側面が面一に位置し、前記開閉部材が半円状に形成されるものである。
【発明の効果】
【００１０】
この発明の自立型扇状装飾部材によれば、従来のように、支持部材等の特定の部材として格別に耐久性の高い金属材料等を選定する必要性はなく、また、目隠し部分の軽量化のための一定の制約を緩和することができるので、構成部材の素材や大きさの設定について自由度が増し、木材、金属、プラスチックやその他の樹脂、紙などの素材を自由に選択し、デザイン性や装飾性に優れた自立型扇状装飾部材にすることができる。
【００１１】
また、開閉する部分を支持するための台座を別個に用意する必要がない。しかも、比較的大型の自立型扇状装飾部材であっても、一人で簡単に組み立てたり折り畳むことができる。さらに、折り畳むと非常にコンパクトな形状になるため、持ち運びが容易で、収納場所もとらない。
【発明を実施するための最良の形態】
【００１２】
以下、この発明の一実施形態について、図１〜図４に基づいて説明する。この実施形態の自立型扇状装飾部材１０は、扇子のように開閉可能な折り畳み式であり、例えば２２枚の同一形状の開閉部材１２と、開閉部材１２と同一形状であって開閉部材１２を前後で挟む２枚の開閉端部材１４，１６を備えている。開閉部材１２は、図２（ａ）に示すように、略長方形の木製の板状の枠部材の内側の部分に、図示しない装飾用の格子や透かし彫りや組子などが設けられ、目隠しや飾りの他、採光や通風のための働きを兼ね備えている。また、開閉部材１２の長手方向の基端部１２ｃには、短辺の長さの１／２の半径の半円状に形成されたアール加工部分１２ｂが設けられ、アール加工部１２ｂを形成する円の中心位置には、支軸１８が挿通される貫通孔１２ａが形成されている。
【００１３】
ここで、一対の開閉端部材１４，１６及び複数の開閉部材１２の長手方向に対して直角方向であって、支軸１８中心を通る仮想面ｓから基端に側位置した端部を、基端部１２ｃ，１４ｃ，１６ｃと言う。
【００１４】
複数の開閉部材１２の一方の端に隣接した開閉端部材１４は、図２に示すように、開閉部材１２と同一外形を有する略長方形の木製の板状の部材である。開閉部材１２の基端部１２ｃと同様の基端部１４ｃには、貫通孔１４ａとアール加工部１４ｂが設けられている。同様に、開閉部材１２の他方の端部側にある開閉端部材１６も、開閉部材１２と同一外形を有する略長方形の木製の部材であり、開閉部材１２と同様に基端部１６ｃに、貫通孔１６ａとアール加工部１６ｂが設けられている。
【００１５】
そして、２２枚の開閉部材１２は、開閉端部材１４の裏面１４ｅと開閉端部材１６の裏面１６ｅで挟まれ、貫通孔１２ａ，１４ａ，１６ａには金属製の支軸１８が挿通され、各部材が独立して回動できる状態に軸支されている。そして、外部に露出する支軸１８の両端部分には、装飾性のあるキャップ２４が被せられている。
【００１６】
開閉端部材１４，１６と隣接する各開閉部材１２、および互いに隣接する開閉部材１２同士は、開いた状態で互いに所定の角度で止まるように、位置決め部材位置決め部材２６によって各々連結されている。位置決め部材２６は、所定の長さに形成された装飾性のある軟らかい紐体や布地または紙等であり、位置決め部材２６の両端部は、開閉端部材１４，１６の先端部１２ｄ，１４ｄ，１６ｄや裏面１４ｅ，１６ｅに各々固定されている。
【００１７】
従って、位置決め部材２６により連結され互いに隣り合う開閉部材１２同士の広がりの角度は、図１に示すように、２２枚の開閉部材１２と開閉端部材１４，１６の計２４枚の部材により、１８０°開いた扇状に形成される。なお、各部材の先端部１２ｄ，１４ｄ，１６ｄの中心間の間隔は、ほぼ各開閉部材１２の短辺の長さより僅かに短く設定されていると、隙間が空かない。また、位置決め部材２６を開閉部材１２の長手方行長さの１／２程度として、扇のように開閉部材１２の本数を１／２に減らしても良い。位置決め部材２６の長さは、図１に示す扇状の半円弧の長さにほぼ等しく設定すれば良い。これにより、図１に示すように、開閉端部材１４と開閉端部材１６が略１８０°に広げられたとき、２２枚の開閉部材１２が互いに均等な角度開いて順番に配置され、前後方向に隙間が生じない状態になる。
【００１８】
以上のように構成された自立型扇状装飾部材１０を開いて所定の位置に設置すると、図１に示すように、２２枚の開閉部材１２と開閉端部材１４，１６が扇型に配置された目隠し部分が形成され、目隠し部分を安定に支持する。
【００１９】
次に、自立型扇状装飾部材１０を折り畳むときの動作について、図３に基づいて説明する。折り畳むときは、図３に示すように、開閉端部材１４と開閉端部材１６の一方を持って、開閉端部材１４と開閉端部材１６とが前後に重なる角度まで回動する。すると、折り畳む動作の中で、開閉部材１２が支軸１８を軸として折り畳まれ、２２枚の開閉部材１２は順番に開閉端部材１４，１６の裏面１４ｅ，１６ｅの内側に位置して開閉端部材１４，１６の他方の側に集められる。このとき、支軸１８側の基端部１２ｃ，１４ｃ，１６ｃ側の端面には、半径が基端部１２ｃ，１４ｃ，１６ｃの円弧の円の半径に等しいアール加工部分１２ｂ，１４ｂ，１６ｂが設けられているので、各部材が折り畳まれる動作は妨げられない。また、各部材を連結する位置決め部材２６は軟らかい紐等であるため、これも、各部材の折り畳まれる動作を妨げない。折り畳まれた自立型扇状装飾部材１０は、図４に示すように、ほぼ直方体のコンパクトな形態になる。開閉部材１２は、ほぼ同一外形の開閉端部材１４，１６に挟まれて前後方向にきれいに重なる。
【００２０】
以上説明したように、この実施形態の自立型扇状装飾部材１０は、衝立として用いる場合、開いた状態で自立するので、台座等を別個に用意する必要がない。さらに、折り畳むと非常にコンパクトな形状となるため持ち運び易く、また、収納場所もとらない。
【００２１】
次に、本発明の自立型扇状装飾部材の他の実施形態を図５に基づいて説明する。この実施形態の自立型扇状装飾部材３０は、開閉部材１２の本数を１２本に減らし、さらに、位置決め部材２６と装飾を兼用し、開閉部材１２と開閉端部材１４，１６に貼り付けられた地紙３６を備えた扇状の装飾部材である。地紙３６は、開閉部材１２の先端から支軸１８の方向に所定の幅を有して貼着されたものである。
【００２２】
地紙３６は、図５に示すように、各開閉部材１２の両側に交互に折罫線３８，４０が設けられ、開閉部材１２又は開閉端部材１４，１６が貼り付けられる貼付部３６ａと、隣接する貼付部３６ａ同士の間を連結する連結部３６ｂとに区切られている。
【００２３】
自立型扇状装飾部材３０が組み立てられたとき、図５に示すように、１１枚の開閉部材１２は扇子を１８０°広げたような状態にほぼ均等な角度に配置される。そして、１１枚の開閉部材１２と開閉端部材１４，１６が扇型に配置されて、地紙３６から成る装飾や目隠し部分が形成される。
【００２４】
また、一対の開閉端部材１４，１６及び複数の開閉部材１２の支軸１８に軸支された各基端部は、一対の開閉端部材１４，１６及び複数の開閉部材１２の長手方向に対して直角な方向の幅の１／２の半径の半円より小さい半円状に形成されている。そして、一対の開閉端部材１４，１６の質量及び接地する側の側面の幅は、自立可能な重さ及び幅に設定されている。
【００２５】
自立型扇状装飾部材３０は、上記実施形態の自立型扇状装飾部材１０と同様に折り畳まれると、地紙１８は、折罫線３８で山折り、折罫線４０は谷折りされ、各連結部３６ｂは、両側に連続する２つの貼付部３６ａに挟まれるように互いに折り重なる。このとき、開閉端部材１４，１６の先端部１４ｄ，１６ｄの短辺の長さ、及び連結部３６ａの先端部分の幅、及び貼付部３６ｂの先端部分の幅は、いずれも等しく、連結部３６ａと貼付部３６ｂは、開閉端部材１４，１６により前後方向に挟まれてきれいに重なる。
【００２６】
この実施形態の自立型扇状装飾部材３０によれば、上記実施形態の自立型扇状装飾部材１０と同様に簡単に折り畳むことができ、一般的な扇子のように、優れた装飾性や趣を備えた自立型扇状装飾部材を実現することができる。
【００２７】
なお、この発明の自立型扇状装飾部材は、上記実施形態に限定されるものではない。例えば、一対の開閉端部材の基端部のみが長くても良く、この場合１８０°開いてより自立しやすい。一対の開閉端部材は、互いに平行に配置されて、その間の開閉部材が円弧を形成するように開かれて自立するものであればよく、直線状や曲線状、凹凸形状でも良い。また、自立する構造は、開閉端部材の質量や厚み等の形状により適宜設定可能であり、開閉部材が自立可能で１８０°程度開くものであれば良い。
【００２８】
位置決め部材は、紐状の部材に代えて、各開閉部材の所定位置に配置されたストッパと受け部でも良く、開閉部材が所定位置に開いてその状態を保持可能なものであればよい。開閉部材の形状は、自由に設定することができ、また、折り畳む動作に支障が生じない範囲で、表面に種々の装飾が施すことができる。
【００２９】
また、自立型扇状装飾部材の所定の部位に、折り畳まれた状態で持ち運ぶための持ち手などを取り付けてもよい。さらに、この自立型扇状装飾部材の大きさや用途は適宜設定可能なものであり、仕切等として用いられるものの他、例えば、家具やテーブル等の上に置かれる装飾用または観賞用の置物として使用されるような小型の自立型扇状装飾部材であってもよい。
【図面の簡単な説明】
【００３０】
【図１】この発明の一実施形態の自立型扇状装飾部材の開いた状態を示す正面図である。
【図２】この実施形態の自立型扇状装飾部材を構成する開閉部材を示す斜視図（ａ）、開閉端部材を示す斜視図（ｂ）、他の開閉端部材を示す斜視図（ｃ）である。
【図３】この実施形態の自立型扇状装飾部材を折り畳む動作の途中の状態を示す正面図である。
【図４】この実施形態の自立型扇状装飾部材が折り畳まれた状態を示す斜視図である。
【図５】この発明の他の実施形態の自立型扇状装飾部材の開いた状態を示す正面図である。
【符号の説明】
【００３１】
１０，３０  自立型扇状装飾部材
１２  開閉部材
１４，１６  開閉端部材
１２ａ，１４ａ，１６ａ  貫通孔
１２ｂ，１４ｂ，１６ｂ  アール加工部分
１２ｃ，１４ｃ，１６ｃ  基端部
１２ｄ，１４ｄ，１６ｄ  先端部
１８  支軸
２６  位置決め部材
【図１】
2010077604.tif 000003
【図２】
2010077604.tif 000004
【図３】
2010077604.tif 000005
【図４】
2010077604.tif 000006
【図５】
2010077604.tif 000007
【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
複数の開閉部材と、前記複数の開閉部材を前後で挟む一対の開閉端部材とが、前記開閉部材と前記開閉端部材の各基端部を貫通する支軸を介して軸支され、互いに隣接する前記開閉部材同士の開きを所定の角度に制限する位置決め部材を有した自立型扇状装飾部材において、
前記複数の開閉部材の前記支軸に軸支された前記各基端部は、前記一対の開閉端部材の長手方向及び前記支軸の軸方向の両方向に対して直角な方向の幅の１／２の半径の半円内に位置するように形成され、前記開閉部材全体が互いに開かれた状態で、前記開閉端部材は互いに平行に位置して、その長手方向と平行な側面であって前記支軸の軸方向と平行な側面が底面となって載置され、前記開閉部材が前記開閉端部材の間に位置して自立することを特徴とする自立型扇状装飾部材。
【請求項２】
前記一対の開閉端部材及び前記複数の開閉部材の長手方向に対して直角であって前記支軸中心を通る仮想面から基端側に位置する前記基端部の、前記支軸に対して直角な面への投影形状が、前記一対の開閉端部材の長手方向及び前記支軸の軸方向の両方向に対して直角な方向の幅の１／２の半径の半円内に形成されていることを特徴とする請求項１記載の自立型扇状装飾部材。
【請求項３】
前記支軸は、前記開閉部材および前記開閉端部材の各基端部の幅方向の中心位置に設けられ、前記開閉部材および前記開閉端部材の前記基端部は、前記支軸を中心として、前記開閉部材および前記開閉端部材の幅の１／２の半径の半円状にアール加工されていることを特徴とする請求項１記載の自立型扇状装飾部材。
【請求項４】
前記開閉端部材は、開かれた状態で前記開閉端部材の側面が面一に位置し、前記開閉部材が半円状に形成されることを特徴とする請求項１，２または３記載の自立型扇状装飾部材。
【手続補正２】
【補正対象書類名】明細書
【補正対象項目名】全文
【補正方法】変更
【補正の内容】
【発明の詳細な説明】
【技術分野】
【０００１】
この発明は、室内外の仕切りや装飾等として用いられる折り畳み式の自立型扇状装飾部材に関する。
【背景技術】
【０００２】
従来、室内に立てて部屋を仕切ったり目隠しするときに用いられる衝立には、衝立を使用しないときに目隠しの部分を折り畳むことができる扇形のものがある。例えば、特許文献１に開示されている衝立は、台板上に二本のポールの下端部が左右方向に回動可能に立設され、その二本のポールの間にプリーツ（折りひだ）が架設された構造を備え、使用時には二本のポールの上端部を左右に傾倒させてプリーツを広げて目隠し用の膜を作り、不使用時には二本のポールを起立させてプリーツを折り畳むことができる衝立である。
【特許文献１】特開２００４−３３２２０８号公報
【発明の開示】
【発明が解決しようとする課題】
【０００３】
しかし、特許文献１の衝立は、安定に立てておくための台板と、その台板とポールやプリーツの特殊な連結構造等を必要とし、複雑な構造で、コストのかかるものとなっている。さらに、二本のポールやプリーツの重量がポール受金具等の支持部材に集中する構造であるため、材料コストが掛かり、構造上耐久性にも問題があった。すなわち、ポールやプリーツの重量が増すと、振動や衝撃で破損し易くなるため、例えば、目隠し用の膜の面積をあまり広くすることができなかった。また、ポールやプリーツは比較的軽量の素材を選択しなければならないため、デザイン性や装飾性を高めるための工夫が制限され、例えば、比較的重量のある木製・金属製の装飾用パーツ等を多用することができなかった。
【０００４】
また、一般に扇子は、扇の要から基端側の部分が開いた状態でも円弧状に突出し、展示用の台座を用いない限り、開いた状態で立たせることが出来ないものであった。
【０００５】
この発明は、上記背景技術に鑑みてなされたものであり、不使用時にはコンパクトに折り畳むことができ、使用時には専用の台座等がなくとも自立可能で、デザイン性に富んだ装飾などを施すことが可能な自立型扇状装飾部材を提供することを目的とする。
【課題を解決するための手段】
【０００６】
この発明は、複数の開閉部材と、前記複数の開閉部材を前後で挟む一対の開閉端部材とが、前記開閉部材と前記開閉端部材の各基端部を貫通する支軸を介して軸支され、互いに隣接する前記開閉部材同士の開きを所定の角度に制限する位置決め部材を有した自立型扇状装飾部材において、前記複数の開閉部材の前記支軸に軸支された前記各基端部は、前記一対の開閉端部材の長手方向及び前記支軸の軸方向の両方向に対して直角な方向の幅の１／２の半径の半円内に位置するように形成され、前記開閉端部材は互いに平行に位置して、その長手方向と平行な側面であって前記支軸の軸方向と平行な側面が底面となって載置され、前記開閉部材が前記開閉端部材の間に位置して自立する自立型扇状装飾部材である。
【０００７】
さらに、前記一対の開閉端部材及び前記複数の開閉部材の長手方向に対して直角であって前記支軸中心を通る仮想面から基端側に位置する前記基端部の、前記支軸に対して直角な面への投影形状が、前記一対の開閉端部材の長手方向及び前記支軸の軸方向の両方向に対して直角な方向の幅の１／２の半径の半円内に形成されているものである。
【０００８】
前記支軸は、前記開閉部材および前記開閉端部材の各基端部の幅方向の中心位置に設けられ、前記開閉部材および前記開閉端部材の前記基端部は、前記支軸を中心として、前記開閉部材および前記開閉端部材の幅の１／２の半径の半円状にアール加工されている。
【０００９】
前記開閉端部材は、開かれた状態で前記開閉端部材の側面が面一に位置し、前記開閉部材が半円状に形成されるものである。
【発明の効果】
【００１０】
この発明の自立型扇状装飾部材によれば、従来のように、支持部材等の特定の部材として格別に耐久性の高い金属材料等を選定する必要性はなく、また、目隠し部分の軽量化のための一定の制約を緩和することができるので、構成部材の素材や大きさの設定について自由度が増し、木材、金属、プラスチックやその他の樹脂、紙などの素材を自由に選択し、デザイン性や装飾性に優れた自立型扇状装飾部材にすることができる。
【００１１】
また、開閉する部分を支持するための台座を別個に用意する必要がない。しかも、比較的大型の自立型扇状装飾部材であっても、一人で簡単に組み立てたり折り畳むことができる。さらに、折り畳むと非常にコンパクトな形状になるため、持ち運びが容易で、収納場所もとらない。
【発明を実施するための最良の形態】
【００１２】
以下、この発明の一実施形態について、図１〜図４に基づいて説明する。この実施形態の自立型扇状装飾部材１０は、扇子のように開閉可能な折り畳み式であり、例えば２２枚の同一形状の開閉部材１２と、開閉部材１２と同一形状であって開閉部材１２を前後で挟む２枚の開閉端部材１４，１６を備えている。開閉部材１２は、図２（ａ）に示すように、略長方形の木製の板状の枠部材の内側の部分に、図示しない装飾用の格子や透かし彫りや組子などが設けられ、目隠しや飾りの他、採光や通風のための働きを兼ね備えている。また、開閉部材１２の長手方向の基端部１２ｃには、短辺の長さの１／２の半径の半円状に形成されたアール加工部分１２ｂが設けられ、アール加工部１２ｂを形成する円の中心位置には、支軸１８が挿通される貫通孔１２ａが形成されている。
【００１３】
ここで、一対の開閉端部材１４，１６及び複数の開閉部材１２の長手方向に対して直角方向であって、支軸１８中心を通る仮想面ｓから基端側に位置した端部を、基端部１２ｃ，１４ｃ，１６ｃと言う。
【００１４】
複数の開閉部材１２の一方の端に隣接した開閉端部材１４は、図２に示すように、開閉部材１２と同一外形を有する略長方形の木製の板状の部材である。開閉部材１２の基端部１２ｃと同様の基端部１４ｃには、貫通孔１４ａとアール加工部１４ｂが設けられている。同様に、開閉部材１２の他方の端部側にある開閉端部材１６も、開閉部材１２と同一外形を有する略長方形の木製の部材であり、開閉部材１２と同様に基端部１６ｃに、貫通孔１６ａとアール加工部１６ｂが設けられている。
【００１５】
そして、２２枚の開閉部材１２は、開閉端部材１４の裏面１４ｅと開閉端部材１６の裏面１６ｅで挟まれ、貫通孔１２ａ，１４ａ，１６ａには金属製の支軸１８が挿通され、各部材が独立して回動できる状態に軸支されている。そして、外部に露出する支軸１８の両端部分には、装飾性のあるキャップ２４が被せられている。
【００１６】
開閉端部材１４，１６と隣接する各開閉部材１２、および互いに隣接する開閉部材１２同士は、開いた状態で互いに所定の角度で止まるように、位置決め部材位置決め部材２６によって各々連結されている。位置決め部材２６は、所定の長さに形成された装飾性のある軟らかい紐体や布地または紙等であり、位置決め部材２６の両端部は、開閉端部材１４，１６の先端部１２ｄ，１４ｄ，１６ｄや裏面１４ｅ，１６ｅに各々固定されている。
【００１７】
従って、位置決め部材２６により連結され互いに隣り合う開閉部材１２同士の広がりの角度は、図１に示すように、２２枚の開閉部材１２と開閉端部材１４，１６の計２４枚の部材により、１８０°開いた扇状に形成される。なお、各部材の先端部１２ｄ，１４ｄ，１６ｄの中心間の間隔は、ほぼ各開閉部材１２の短辺の長さより僅かに短く設定されていると、隙間が空かない。また、位置決め部材２６を開閉部材１２の長手方行長さの１／２程度として、扇のように開閉部材１２の本数を１／２に減らしても良い。位置決め部材２６の長さは、図１に示す扇状の半円弧の長さにほぼ等しく設定すれば良い。これにより、図１に示すように、開閉端部材１４と開閉端部材１６が略１８０°に広げられたとき、２２枚の開閉部材１２が互いに均等な角度開いて順番に配置され、前後方向に隙間が生じない状態になる。
【００１８】
以上のように構成された自立型扇状装飾部材１０を開いて所定の位置に設置すると、図１に示すように、開閉端部材１４，１６の長手方向と平行な側面であって支軸１８の軸方向と平行な側面が底面となって載置され、２２枚の開閉部材１２と開閉端部材１４，１６が扇型に配置された目隠し部分が形成され、目隠し部分を安定に支持する。
【００１９】
次に、自立型扇状装飾部材１０を折り畳むときの動作について、図３に基づいて説明する。折り畳むときは、図３に示すように、開閉端部材１４と開閉端部材１６の一方を持って、開閉端部材１４と開閉端部材１６とが前後に重なる角度まで回動する。すると、折り畳む動作の中で、開閉部材１２が支軸１８を軸として折り畳まれ、２２枚の開閉部材１２は順番に開閉端部材１４，１６の裏面１４ｅ，１６ｅの内側に位置して開閉端部材１４，１６の他方の側に集められる。このとき、支軸１８側の基端部１２ｃ，１４ｃ，１６ｃ側の端面には、半径が基端部１２ｃ，１４ｃ，１６ｃの円弧の円の半径に等しいアール加工部分１２ｂ，１４ｂ，１６ｂが設けられているので、各部材が折り畳まれる動作は妨げられない。また、各部材を連結する位置決め部材２６は軟らかい紐等であるため、これも、各部材の折り畳まれる動作を妨げない。折り畳まれた自立型扇状装飾部材１０は、図４に示すように、ほぼ直方体のコンパクトな形態になる。開閉部材１２は、ほぼ同一外形の開閉端部材１４，１６に挟まれて前後方向にきれいに重なる。
【００２０】
以上説明したように、この実施形態の自立型扇状装飾部材１０は、衝立として用いる場合、開いた状態で自立するので、台座等を別個に用意する必要がない。さらに、折り畳むと非常にコンパクトな形状となるため持ち運び易く、また、収納場所もとらない。
【００２１】
次に、本発明の自立型扇状装飾部材の他の実施形態を図５に基づいて説明する。この実施形態の自立型扇状装飾部材３０は、開閉部材１２の本数を１２本に減らし、さらに、位置決め部材２６と装飾を兼用し、開閉部材１２と開閉端部材１４，１６に貼り付けられた地紙３６を備えた扇状の装飾部材である。地紙３６は、開閉部材１２の先端から支軸１８の方向に所定の幅を有して貼着されたものである。
【００２２】
地紙３６は、図５に示すように、各開閉部材１２の両側に交互に折罫線３８，４０が設けられ、開閉部材１２又は開閉端部材１４，１６が貼り付けられる貼付部３６ａと、隣接する貼付部３６ａ同士の間を連結する連結部３６ｂとに区切られている。
【００２３】
自立型扇状装飾部材３０が組み立てられたとき、図５に示すように、１１枚の開閉部材１２は扇子を１８０°広げたような状態にほぼ均等な角度に配置される。そして、１１枚の開閉部材１２と開閉端部材１４，１６が扇型に配置されて、地紙３６から成る装飾や目隠し部分が形成される。
【００２４】
また、一対の開閉端部材１４，１６及び複数の開閉部材１２の支軸１８に軸支された各基端部は、一対の開閉端部材１４，１６及び複数の開閉部材１２の長手方向に対して直角な方向の幅の１／２の半径の半円より小さい半円状に形成されている。そして、一対の開閉端部材１４，１６の質量及び接地する側の側面の幅は、自立可能な重さ及び幅に設定されている。
【００２５】
自立型扇状装飾部材３０は、上記実施形態の自立型扇状装飾部材１０と同様に折り畳まれると、地紙１８は、折罫線３８で山折り、折罫線４０は谷折りされ、各連結部３６ｂは、両側に連続する２つの貼付部３６ａに挟まれるように互いに折り重なる。このとき、開閉端部材１４，１６の先端部１４ｄ，１６ｄの短辺の長さ、及び連結部３６ａの先端部分の幅、及び貼付部３６ｂの先端部分の幅は、いずれも等しく、連結部３６ａと貼付部３６ｂは、開閉端部材１４，１６により前後方向に挟まれてきれいに重なる。
【００２６】
この実施形態の自立型扇状装飾部材３０によれば、上記実施形態の自立型扇状装飾部材１０と同様に簡単に折り畳むことができ、一般的な扇子のように、優れた装飾性や趣を備えた自立型扇状装飾部材を実現することができる。
【００２７】
なお、この発明の自立型扇状装飾部材は、上記実施形態に限定されるものではない。例えば、一対の開閉端部材の基端部のみが長くても良く、この場合１８０°開いてより自立しやすい。一対の開閉端部材は、互いに平行に配置されて、その間の開閉部材が円弧を形成するように開かれて自立するものであればよく、直線状や曲線状、凹凸形状でも良い。また、自立する構造は、開閉端部材の質量や厚み等の形状により適宜設定可能であり、開閉部材が自立可能で１８０°程度開くものであれば良い。
【００２８】
位置決め部材は、紐状の部材に代えて、各開閉部材の所定位置に配置されたストッパと受け部でも良く、開閉部材が所定位置に開いてその状態を保持可能なものであればよい。開閉部材の形状は、自由に設定することができ、また、折り畳む動作に支障が生じない範囲で、表面に種々の装飾が施すことができる。
【００２９】
また、自立型扇状装飾部材の所定の部位に、折り畳まれた状態で持ち運ぶための持ち手などを取り付けてもよい。さらに、この自立型扇状装飾部材の大きさや用途は適宜設定可能なものであり、仕切等として用いられるものの他、例えば、家具やテーブル等の上に置かれる装飾用または観賞用の置物として使用されるような小型の自立型扇状装飾部材であってもよい。
【図面の簡単な説明】
【００３０】
【図１】この発明の一実施形態の自立型扇状装飾部材の開いた状態を示す正面図である。
【図２】この実施形態の自立型扇状装飾部材を構成する開閉部材を示す斜視図（ａ）、開閉端部材を示す斜視図（ｂ）、他の開閉端部材を示す斜視図（ｃ）である。
【図３】この実施形態の自立型扇状装飾部材を折り畳む動作の途中の状態を示す正面図である。
【図４】この実施形態の自立型扇状装飾部材が折り畳まれた状態を示す斜視図である。
【図５】この発明の他の実施形態の自立型扇状装飾部材の開いた状態を示す正面図である。
【符号の説明】
【００３１】
１０，３０  自立型扇状装飾部材
１２  開閉部材
１４，１６  開閉端部材
１２ａ，１４ａ，１６ａ  貫通孔
１２ｂ，１４ｂ，１６ｂ  アール加工部分
１２ｃ，１４ｃ，１６ｃ  基端部
１２ｄ，１４ｄ，１６ｄ  先端部
１８  支軸
２６  位置決め部材